(57)【要約】      （修正有）【課題】着目する分画の存在率に関するデータを迅速かつ簡便に取得できるようにする電気泳動分離データ解析装置を提供する。【解決手段】電気泳動分離データ解析装置２は、電気泳動分離により得られた分離データのうち解析対象に加える解析対象ピークに関する解析対象ピーク情報をユーザに入力させ、その解析対象ピーク情報に基づいて少なくとも１つの解析対象ピークを特定するように構成された解析対象ピーク特定部１２と、解析対象ピーク中における着目ピークに関する着目ピーク情報をユーザに入力させ、その着目ピーク情報に基づいて前記着目ピークを特定するように構成された着目ピーク特定部１４と、解析対象ピークのピーク面積の合計値と着目ピークのピーク面積値に基づき、すべての前記解析対象ピーク中における着目ピークの存在率を求めるように構成された存在率算出部１６と、を備えている。【選択図】図１
2020020725.tif 000002
【特許請求の範囲】
【請求項１】
電気泳動分離により得られた分離データの解析を行なうための解析装置であって、
前記分離データにおいて解析対象に加える解析対象ピークに関する解析対象ピーク情報をユーザに入力させ、その解析対象ピーク情報に基づいて少なくとも１つの前記解析対象ピークを特定するように構成された解析対象ピーク特定部と、
前記解析対象ピーク中における着目ピークに関する着目ピーク情報をユーザに入力させ、その着目ピーク情報に基づいて前記着目ピークを特定するように構成された着目ピーク特定部と、
前記解析対象ピークのピーク面積の合計値と前記着目ピークのピーク面積値に基づき、すべての前記解析対象ピーク中における前記着目ピークの存在率を求めるように構成された存在率算出部と、を備えた電気泳動分離データ解析装置。
【請求項２】
前記存在率算出部は、前記解析対象ピーク及び前記着目ピークが特定されたときに、即時に前記着目ピークの存在率を算出するように構成されている、請求項１に記載の電気泳動分離データ解析装置。
【請求項３】
前記存在率算出部により算出された前記着目ピークの存在率を表示装置に表示するように構成された存在率表示部を備えている、請求項１又は２に記載の電気泳動分離データ解析装置。
【請求項４】
前記解析対象ピーク特定部がユーザに入力させる前記解析対象ピーク情報は、解析対象に加えるピークを含む解析対象範囲、及び前記解析対象範囲の中で解析対象から除外するピークを含む解析除外範囲であり、前記解析対象ピーク特定部は、前記解析除外範囲内のピークを除く前記解析対象範囲内のピークを前記解析対象ピークとして特定するように構成されており、
前記着目ピーク特定部がユーザに入力させる前記着目ピーク情報は、着目するピークを含む着目範囲であり、前記着目ピーク特定部は、前記着目範囲内のピークを前記着目ピークとして特定するように構成されている、請求項１から３のいずれか一項に記載の電気泳動分離データ解析装置。
【請求項５】
前記分離データとしてエレクトロフェログラムを作成するエレクトロフェログラム作成部を備え、
前記解析対象ピーク特定部は、ユーザに前記エレクトロフェログラム上で前記解析対象範囲及び前記解析除外範囲を指定させるように構成され、
前記着目ピーク特定部は、ユーザに前記エレクトロフェログラム上で前記着目範囲を指定させるように構成されている、請求項４に記載の電気泳動分離データ解析装置。
【請求項６】
前記分離データとして電気泳動流路上におけるピークの分離イメージを作成する分離イメージ作成部を備え、
前記解析対象ピーク特定部は、ユーザに前記分離イメージ上で前記解析対象範囲及び前記解析除外範囲を指定させるように構成されている、請求項４に記載の電気泳動分離データ解析装置。
【請求項７】
電気泳動分離により得られた分離データの解析方法であって、
前記分離データにおいて解析対象に加える解析対象ピークに関する解析対象ピーク情報をユーザに入力させ、その解析対象ピーク情報に基づいて少なくとも１つの前記解析対象ピークを特定する解析対象ピーク特定ステップと、
前記解析対象ピーク中における着目ピークに関する着目ピーク情報をユーザに入力させ、その着目ピーク情報に基づいて前記着目ピークを特定する着目ピーク特定ステップと、
前記解析対象ピークのピーク面積の合計値と前記着目ピークのピーク面積値に基づき、すべての前記解析対象ピーク中における前記着目ピークの存在率を自動的に求める存在率算出ステップと、を備えた電気泳動分離データ解析方法。
【請求項８】
前記存在率算出ステップは、前記解析対象ピーク及び前記着目ピークが特定された直後に実行する、請求項７に記載の電気泳動分離データ解析方法。
【請求項９】
前記存在率算出ステップで算出された前記着目ピークの存在率を表示装置に表示する存在率表示ステップを備えている、請求項７又は８に記載の電気泳動分離データ解析方法。
【請求項１０】
前記解析対象ピーク特定ステップにおいてユーザに入力させる前記解析対象ピーク情報は、解析対象に加えるピークを含む解析対象範囲、及び前記解析対象範囲の中で解析対象から除外するピークを含む解析除外範囲であり、
前記着目ピーク特定ステップにおいてユーザに入力させる前記着目ピーク情報は、着目するピークを含む着目範囲であり、
前記解析対象ピーク特定ステップでは、前記解析除外範囲内のピークを除く前記解析対象範囲内のピークを前記解析対象ピークとして特定し、前記着目ピーク特定ステップでは、前記着目範囲内のピークを前記着目ピークとして特定する、請求項７から９のいずれか一項に記載の電気泳動分離データ解析方法。
【請求項１１】
前記分離データとしてエレクトロフェログラムを作成するエレクトロフェログラム作成ステップを備え、
前記解析対象ピーク特定ステップでは、ユーザに前記エレクトロフェログラム上で前記解析対象範囲及び前記解析除外範囲を指定させ、
前記着目ピーク特定ステップでは、ユーザに前記エレクトロフェログラム上で前記着目範囲を指定させる、請求項１０に記載の電気泳動分離データ解析方法。
【請求項１２】
前記分離データとして電気泳動流路上におけるピークの分離イメージを作成する分離イメージ作成ステップを備え、
前記解析対象ピーク特定ステップでは、ユーザに前記分離イメージ上で前記解析対象範囲及び前記解析除外範囲を指定させ、
前記着目ピーク特定ステップでは、ユーザに前記分離イメージ上で前記着目範囲を指定させる、請求項１０又は１１に記載の電気泳動分離データ解析方法。
【請求項１３】
コンピュータ上で実行されることにより、請求項７から１３のいずれか一項に記載の電気泳動分離データ解析方法を実施するように構成されたコンピュータプログラム。
【発明の詳細な説明】
【技術分野】
【０００１】
本発明は、電気泳動分離により取得された分離データを解析するための電気泳動分離データ解析装置、電気泳動分離データ解析方法及びその解析方法をコンピュータに実行させるためのコンピュータプログラムに関する。
【背景技術】
【０００２】
生化学分野では、電気泳動分離で得られた分離データに基づき、試料中に混在する類似分子の中で着目する分子（核酸やタンパク）の存在率を求めて、試料の解析に利用する場合がある（特許文献１参照。）。例えば、細胞集団中における野生型遺伝子細胞と変異型遺伝子細胞の存在率を求める場合や、発現解析においてコントロール遺伝子の発現量に対する着目遺伝子の発現量を比較評価する場合などである。
【先行技術文献】
【特許文献】
【０００３】
【特許文献１】特開２００５−６９８４６号公報
【発明の概要】
【発明が解決しようとする課題】
【０００４】
従来、着目分子の存在率を求める方法として、アガロースゲル電気泳動やポリアクリルアミドゲル電気泳動により試料を分離した後のゲルのデジタル画像を取得し、そのデジタル画像中における各分画の輝度から各分画の濃度を求め、求めた各分画の濃度から着目分子の存在率を計算するという方法がある。また、近年の毛細管や微細流路デバイスを用いた電気泳動の解析装置では、電気泳動で分離された各分画の濃度がエレクトロフェログラムに現れる各ピークの面積から自動的に算出されるため、算出された各分画の濃度を用いて手計算や計算ツールで着目するピーク（分画）の存在率を求めることもできる。
【０００５】
上記のいずれの方法においても、着目する分画の存在率は手計算や計算ツールを用いた計算によって求める必要があり、存在率に関するデータを容易かつ迅速に取得することができない。
【０００６】
そこで、本発明は、電気泳動で分離された分画のうち着目する任意の分画の存在率を容易かつ迅速に取得できるようにすることを目的とするものである。
【課題を解決するための手段】
【０００７】
本発明に係る電気泳動分離データ解析装置は、電気泳動分離により得られた分離データのうち解析対象に加える解析対象ピークに関する解析対象ピーク情報をユーザに入力させ、その解析対象ピーク情報に基づいて少なくとも１つの前記解析対象ピークを特定するように構成された解析対象ピーク特定部と、前記解析対象ピーク中における着目ピークに関する着目ピーク情報をユーザに入力させ、その着目ピーク情報に基づいて前記着目ピークを特定するように構成された着目ピーク特定部と、前記解析対象ピークのピーク面積の合計値と前記着目ピークのピーク面積値に基づき、すべての前記解析対象ピーク中における前記着目ピークの存在率を求めるように構成された存在率算出部と、を備えている。ここで、「ピーク」とは電気泳動により分離されたそれぞれの分画に相当するものである。
【０００８】
すなわち、本発明に係る電気泳動分離データ解析装置は、ユーザが解析対象ピークに関する解析対象ピーク情報と着目ピークに関する着目ピーク情報を入力するだけで、解析対象ピーク中における着目ピークの存在率が自動的に求められるように構成されている。
【０００９】
本発明に係る電気泳動分離データ解析装置において、前記存在率算出部は、前記解析対象ピーク及び前記着目ピークが特定されたときに、即時に前記着目ピークの存在率を算出するように構成されていることが好ましい。そうすれば、ユーザが解析対象ピークに関する解析対象ピーク情報と着目ピークに関する着目ピーク情報を入力するだけで、即時に着目ピークの存在率が求められるので、ユーザは着目ピークの存在率を迅速に入手することができる。
【００１０】
本発明に係る電気泳動分離データ解析装置は、前記存在率算出部により算出された前記着目ピークの存在率を表示装置に表示する存在率表示部を備えていることが好ましい。そうすれば、着目ピークの存在率をユーザが容易に認識することができる。
【００１１】
本発明に係る電気泳動分離データ解析装置において、前記解析対象ピーク特定部がユーザに入力させる前記解析対象ピーク情報は、解析対象に加えるピークを含む解析対象範囲、及び前記解析対象範囲の中で解析対象から除外するピークを含む解析除外範囲であってもよい。その場合、前記解析除外範囲内のピークを除く前記解析対象範囲内のピークを前記解析対象ピークとして特定するように、前記解析対象ピーク特定部を構成することができる。さらに、前記着目ピーク特定部がユーザに入力させる前記着目ピーク情報は、着目するピークを含む着目範囲であってもよい。その場合、前記着目ピーク特定部は、前記着目範囲内のピークを前記着目ピークとして特定するように構成することができる。
【００１２】
本発明に係る電気泳動分離データ解析装置は、前記分離データとしてエレクトロフェログラムを作成するエレクトロフェログラム作成部を備えていてもよい。その場合、ユーザに前記エレクトロフェログラム上で前記解析対象範囲及び前記解析除外範囲を指定させるように、前記解析対象ピーク特定部を構成することができ、ユーザに前記エレクトロフェログラム上で前記着目範囲を指定させるように、前記着目ピーク特定部を構成することができる。
【００１３】
本発明に係る電気泳動分離データ解析装置は、前記分離データとして電気泳動流路上におけるピークの分離イメージを作成する分離イメージ作成部を備えていてもよい。その場合、ユーザに前記分離イメージ上で前記解析対象範囲及び前記解析除外範囲を指定させるように、前記解析対象ピーク特定部を構成することができ、前記分離イメージ上で前記着目範囲を指定させるように、前記着目ピーク特定部を構成することができる。
【００１４】
本発明に係る電気泳動分離データ解析方法は、分離データにおいて解析対象に加える解析対象ピークに関する解析対象ピーク情報をユーザに入力させ、その解析対象ピーク情報に基づいて少なくとも１つの前記解析対象ピークを特定する解析対象ピーク特定ステップと、前記解析対象ピーク中における着目ピークに関する着目ピーク情報をユーザに入力させ、その着目ピーク情報に基づいて前記着目ピークを特定する着目ピーク特定ステップと、前記解析対象ピークのピーク面積の合計値と前記着目ピークのピーク面積値に基づき、すべての前記解析対象ピーク中における前記着目ピークの存在率を自動的に求める存在率算出ステップと、を備えている。
【００１５】
本発明に係る電気泳動分離データ解析方法では、前記存在率算出ステップを、前記解析対象ピーク及び前記着目ピークが特定された直後に実行することができる。
【００１６】
本発明に係る電気泳動分離データ解析方法は、前記存在率算出ステップで算出された前記着目ピークの存在率を表示装置に表示する存在率表示ステップを備えることができる。
【００１７】
前記解析対象ピーク特定ステップにおいてユーザに入力させる前記解析対象ピーク情報を、解析対象に加えるピークを含む解析対象範囲、及び前記解析対象範囲の中で解析対象から除外するピークを含む解析除外範囲とすることができ、前記着目ピーク特定ステップにおいてユーザに入力させる前記着目ピーク情報を、着目するピークを含む着目範囲とすることができる。この場合、前記解析対象ピーク特定ステップでは、前記解析除外範囲内のピークを除く前記解析対象範囲内のピークを前記解析対象ピークとして特定することができ、前記着目ピーク特定ステップでは、前記着目範囲内のピークを前記着目ピークとして特定することができる。
【００１８】
本発明に係る電気泳動分離データ解析方法では、前記分離データとしてエレクトロフェログラムを作成するエレクトロフェログラム作成ステップを備えることができる。その場合、前記解析対象ピーク特定ステップでは、ユーザに前記エレクトロフェログラム上で前記解析対象範囲及び前記解析除外範囲を指定させることができ、前記着目ピーク特定ステップでは、ユーザに前記エレクトロフェログラム上で前記着目範囲を指定させることができる。
【００１９】
本発明に係る電気泳動分離データ解析方法では、前記分離データとして電気泳動流路上におけるピークの分離イメージを作成する分離イメージ作成ステップを備えることもできる。その場合、前記解析対象ピーク特定ステップでは、ユーザに前記分離イメージ上で前記解析対象範囲及び前記解析除外範囲を指定させることができ、前記着目ピーク特定ステップでは、ユーザに前記分離イメージ上で前記着目範囲を指定させることができる。
【００２０】
本発明に係るコンピュータプログラムは、コンピュータ上で実行されることにより、上記の電気泳動分離データ解析方法を実施するように構成されたものである。
【発明の効果】
【００２１】
本発明に係る電気泳動分離データ解析装置は、ユーザが解析対象ピークに関する解析対象ピーク情報と着目ピークに関する着目ピーク情報を入力するだけで、解析対象としたピーク中における着目ピークの存在率が自動的に求められるように構成されているので、ユーザは、着目ピークの存在率を容易かつ迅速に入手することができる。
【００２２】
本発明に係る電気泳動分離データ解析方法は、ユーザが解析対象ピークに関する解析対象ピーク情報と着目ピークに関する着目ピーク情報を入力するだけで、すべての解析対象ピーク中における着目ピークの存在率を自動的に求めるので、着目ピークの存在率を容易かつ迅速に入手することができる。
【００２３】
本発明に係るコンピュータプログラムは、上記の電気泳動分離データ解析方法を実行するように構成されているので、コンピュータにこのコンピュータプログラムを導入するだけで、そのコンピュータを本発明に係る電気泳動分離データ解析装置とすることができる。
【図面の簡単な説明】
【００２４】
【図１】電気泳動データ解析装置の一実施例を概略的に示すブロック図である。
【図２】同実施例において作成されるエレクトロフェログラムの一例である。
【図３】同実施例において作成される分離イメージの一例である。
【図４】同実施例の動作を示すフローチャートである。
【図５】解析対象ピークを特定する動作の一例を示すフローチャートである。
【図６】着目ピークを特定する動作の一例を示すフローチャートである。
【図７】エレクトロフェログラム上での解析対象範囲、解析除外範囲、着目範囲の指定方法を説明するための図である。
【図８】分離イメージ上での解析対象範囲、解析除外範囲、着目範囲の指定方法を説明するための図である。
【発明を実施するための形態】
【００２５】
以下、電気泳動分離データ解析方法、その解析方法を実施する電気泳動分離データ解析装置の一実施例について、図面を参照しながら説明する。
【００２６】
図１に示されているように、電気泳動分離データ解析装置２（以下、解析装置２）は、電気泳動による試料の分離を実施する電気泳動装置４で取得された試料の分離データを用いてデータ解析処理を実施し、解析結果を表示装置６に表示する。
【００２７】
解析装置２は、エレクトロフェルグラム作成部８、分離イメージ作成部１０、解析対象ピーク特定部１２、着目ピーク特定部１４、存在率算出部１６及び存在率表示部１８を備えている。エレクトロフェルグラム作成部８、分離イメージ作成部１０、解析対象ピーク特定部１２、着目ピーク特定部１４、存在率算出部１６及び存在率表示部１８は、解析装置２内において演算素子が所定のプログラムを実行することによって得られる機能である。すなわち、解析装置２は、エレクトロフェルグラム作成部８、分離イメージ作成部１０、解析対象ピーク特定部１２、着目ピーク特定部１４、存在率算出部１６及び存在率表示部１８の機能を実現させるためのコンピュータプログラムが導入されたコンピュータによって実現されるものである。表示装置６は解析装置２に電気的に接続された液晶ディスプレイ等によって実現される。
【００２８】
エレクトロフェログラム作成部８は、電気泳動装置４からの分離データに基づいてエレクトロフェログラムを作成するように構成されている。試料がＤＮＡであり、電気泳動装置４がゲル電気泳動を実施するものである場合には、図２に示されているような、横軸をＤＮＡ断片のサイズやタンパクの分子量、縦軸を信号強度とするエレクトロフェログラムが作成される。図２のエレクトロフェログラムでは、電気泳動により分離された各分画がピーク（１）〜（９）として現れている。各分画の濃度はそれぞれ、ピーク（１）〜（９）の面積から求めることができる。
【００２９】
分離イメージ作成部１０は、電気泳動装置４からの分離データに基づいて、図３に示されているような、電気泳動装置４の電気泳動流路上において分離された分画のイメージ（分離イメージ）を作成するように構成されている。図３の分離イメージは図２のエレクトロフェログラムに対応している。
【００３０】
エレクトロフェログラム作成部８により作成されたエレクトロフェログラム、分離イメージ作成部１０により作成された分離イメージは表示装置６に表示される。
【００３１】
解析対象ピーク特定部１２、着目ピーク特定部１４、存在率算出部１６及び存在率表示部１８は、図４のフローチャートに示されているように、解析対象ピークを特定するステップＳ１、着目ピークを特定するステップＳ２、着目ピークの存在率を算出するステップＳ３、及び算出された存在率を即時に表示するステップＳ４を備えた分離データ解析方法を解析装置２に実施させるための機能である。なお、図４では、着目ピークの特定を解析対象ピークの特定の後で行なうようになっているが、着目ピークの特定を解析対象ピークの特定の前に行なってもよい。
【００３２】
解析対象ピーク特定部１２は、存在率の計算の対象としたい解析対象ピークに関する解析対象ピーク情報をユーザに入力させ、その解析対象ピーク情報に基づいて解析対象ピークを特定するように構成されている。
【００３３】
ユーザに入力させる解析対象ピーク情報としては、存在率の計算に加えたい解析対象範囲、存在率の計算の対象から除外したい解析除外範囲が挙げられる。その場合、解析対象ピーク特定部１２は、図５に示されているように、ユーザに、解析対象範囲と解析除外範囲を入力させ（ステップＳ１１、Ｓ１２）、解析除外範囲内のピークを除く解析対象範囲内のピークを解析対象ピークとして特定する。解析対象範囲、解析除外範囲とは、電気泳動により分離された核酸のサイズやタンパクの分子量の範囲である。なお、解析対象ピーク特定部１２は、解析対象ピーク情報として、存在率の計算に加えたい解析対象ピークそのものをユーザに入力させるように構成されていてもよい。
【００３４】
着目ピーク特定部１４は、存在率を計算したいピークに関する着目ピーク情報をユーザに入力させ、その着目ピーク情報に基づいて着目ピークを特定するように構成されている。
【００３５】
ユーザに入力させる着目ピーク情報としては、存在率を計算したいピークを含む着目範囲が挙げられる。その場合、着目ピーク特定部１４は、図６に示されているように、ユーザに着目範囲を入力させ（ステップＳ２１）、その着目範囲内のピークを着目ピークとして特定する（ステップＳ２２）。なお、着目ピーク特定部１４は、着目ピーク情報として、存在率を計算したいピークそのものをユーザに入力させるように構成されていてもよい。
【００３６】
図７に示されているように、解析対象ピーク特定部１２、着目ピーク特定部１４は、解析対象範囲、解析除外範囲、着目範囲のそれぞれを、エレクトロフェログラム上においてユーザに指定させることができる。
【００３７】
また、図８に示されているように、解析対象ピーク特定部１２、着目ピーク特定部１４は、解析対象範囲、解析除外範囲、着目範囲のそれぞれを、分離イメージ上においてユーザに指定させることができる。
【００３８】
なお、図７及び図８では、１つの解析除外範囲が指定されているが、２つ以上の解析対象範囲を指定することもできる。
【００３９】
また、解析対象ピーク特定部１２、着目ピーク特定部１４は、解析対象範囲、解析除外範囲、着目範囲のそれぞれを、ユーザに数値によって指定させることもできる。
【００４０】
図７及び図８では、ユーザによって指定された解析対象範囲に（２）〜（９）のピーク、解析除外範囲に（４）のピーク、着目範囲に（５）及び（６）のピークがそれぞれ含まれている。したがって、解析対象ピーク特定部１２は、解析対象範囲に含まれる（２）〜（９）のピークから解析除外範囲内にある（４）のピークを除外し、（２）、（３）、（５）〜（９）のピークを解析対象ピークとして特定する。着目ピーク特定部１４は、着目範囲内にある（５）及び（６）のピークを着目ピークとして特定する。
【００４１】
図１に戻って、存在率算出部１６は、解析対象ピーク特定部１２と着目ピーク特定部１４により解析対象ピーク及び着目ピークが特定されたときに、解析対象ピーク中における着目ピークの存在率を求めるように構成されている。着目ピークの存在率の算出のタイミングについて特に限定されないが、解析対象ピーク及び着目ピークが特定された後、即時に存在率の算出がなされるようになっていることが好ましい。
【００４２】
着目ピークの存在率は、次式によって求めることができる。
着目ピークの存在率＝
着目ピークの分画の濃度／解析対象ピークの分画の濃度の合計値×１００
図７及び図８の例で説明すると、着目ピーク（５）及び（６）の存在率は、着目ピーク（５）、（６）の合計濃度を解析対象ピーク（２）、（３）、（５）〜（９）の合計濃度で除したものに１００をかけることによって求めることができる。なお、「濃度」は「モル濃度」であってもよいし「質量濃度」であってもよい。
【００４３】
また、存在率算出部１６は、着目ピークの存在率以外に、各解析対象ピークの個別の存在率や、着目ピーク以外の解析対象ピークの合計の存在率を計算によって求めるように構成されていてもよい。
【００４４】
存在率表示部１８は、存在率算出部１６により算出された着目ピークの存在率を表示装置６に表示するように構成されている。これにより、ユーザが解析対象の範囲、解析対象から除外する範囲、着目範囲（若しくは着目ピーク）を指定するだけで、着目ピークの存在率が自動的に算出され、表示装置６に表示されるので、ユーザは、着目する分画の存在率を容易かつ迅速に取得することができる。
【００４５】
さらに、解析対象ピーク及び着目ピークが特定された後で即時に存在率を算出するように存在率算出部１６が構成されている場合には、着目ピークの存在率が表示装置６に即時に表示されるので、ユーザは、着目する分画の存在率をリアルタイムで認識することができる。
【符号の説明】
【００４６】
２      電気泳動分離データ解析装置
４      電気泳動装置
６      表示装置
８      エレクトロフェログラム作成部
１０      分離イメージ作成部
１２      解析対象ピーク特定部
１４      着目ピーク特定部
１６      存在率算出部
１８      存在率表示部
【図１】
2020020725.tif 000003
【図２】
2020020725.tif 000004
【図３】
2020020725.tif 000005
【図４】
2020020725.tif 000006
【図５】
2020020725.tif 000007
【図６】
2020020725.tif 000008
【図７】
2020020725.tif 000009
【図８】
2020020725.tif 000010